(57)【要約】【課題】運転席を保護する保護体を吊り上げる際に活用される吊り具と、作業装置方向に対する照明を行う作業灯とを備えることを考慮した場合に、作業灯の外側部の保護を少ない部材数で実現させることができる建設機械の提供。【解決手段】本発明は、例えばミニショベルから成り、旋回体２上に設けた運転席５を囲むように設けられ、運転席５に座ったオペレータを保護するキャノピー６と、このキャノピー６の上部に設けた第１，第２吊り具１０ａ，１１ａ、及び第１，第２作業灯１０ｃ，１１ｃとを備えるとともに、第１，第２作業灯１０ｃ，１１ｃのそれぞれを、対応する第１，第２吊り具１０ａ，１１ａの両側部のうちの内側の近傍に配置し、第１，第２作業灯１０ｃ，１１ｃの対応するものを保持し、第１，第２吊り具１０ａ，１１ａの対応するものに固定される第１，第２ブラケット１０ｂ，１１ｂを備えた構成にしてある。【選択図】図５
2011247058.tif 000002
【特許請求の範囲】
【請求項１】
旋回体と、この旋回体に取り付けられる作業装置と、上記旋回体上に設けた運転席と、この運転席を囲むように設けられ、上記運転席に座ったオペレータを保護する保護体と、この保護体の上部に設けられ、上記保護体の吊り上げに際して活用される吊り具と、上記保護体に設けられ、上記作業装置方向に対する照明を行う少なくとも１つの作業灯とを備えた建設機械において、
上記作業灯を、上記吊り具の両側方のうちの内側の近傍に配置するとともに、上記作業灯を保持し、上記吊り具に固定されるブラケットを備えたことを特徴とする建設機械。
【請求項２】
請求項１に記載の建設機械において、
当該建設機械がミニショベルから成り、
上記保護体が、立設部、及びこの立設部に湾曲部を介して連設される水平部を有する支柱を含むキャノピーから成り、
上記支柱の湾曲部に上記吊り具を設けたことを特徴とする建設機械。
【請求項３】
請求項２に記載の建設機械において、
上記吊り具の前後方向の中心線よりも前側位置に上記作業灯を配置し、上記吊り具の上記中心線位置、または上記中心線位置よりも後側位置に、上記キャノピーの吊り上げに際して活用されるワイヤが挿通する吊り穴を設けたことを特徴とする建設機械。
【請求項４】
請求項３に記載の建設機械において、
上記キャノピーは、上記運転席を囲むように左右方向に並設された第１支柱と第２支柱とを有し、
上記第１支柱の立設部と水平部を連設させる湾曲部に第１吊り具を設け、上記第２支柱の立設部と水平部を連設させる湾曲部に第２吊り具を設け、
上記第１吊り具の内側に第１ブラケットを介して第１作業灯を配置し、上記第２吊り具の内側に第２ブラケットを介して第２作業灯を配置したことを特徴とする建設機械。
【請求項５】
請求項４に記載の建設機械において、
上記第１吊り具及び上記第２吊り具のそれぞれは、前部端縁が凸状の湾曲形状に形成され、後部端縁が上記第１支柱及び上記第２支柱のうちの対応する支柱の上記湾曲部の形状に応じた凹状の湾曲形状に形成され、上部端縁が水平方向に沿う直線形状に形成され、全体が平坦状の板部材から成り、
上記第１ブラケット及び第２ブラケットのそれぞれは、上記第１吊り具及び上記第２吊り具のうちの対応する吊り具に固定される鉛直部と、上記第１作業灯及び上記第２作業灯のうちの対応する作業灯を保持する水平部とを含むＬ字形状部材から成ることを特徴とする建設機械。
【発明の詳細な説明】
【技術分野】
【０００１】
本発明は、運転席を保護する保護体、例えばキャノピーの上部に吊り具を備えたミニショベル等の建設機械に関する。
【背景技術】
【０００２】
この種の建設機械として、特許文献１に示されるものがある。この特許文献１には、走行体と、この走行体上に設けられた旋回体と、この旋回体に上下方向の回動可能に設けられ、ブーム、アーム、バケット等を含む作業装置とを備えたミニショベルが開示されている。この従来技術は、旋回体上に配置される運転席を保護する保護体、例えばキャノピー本体の天井部に吊り具を備えており、この吊り具の吊り穴に挿通させたワイヤを介してキャノピー本体を含む車体を吊り下げることができるようになっている。
【０００３】
また、ミニショベル等の建設機械にあって、作業装置方向に対する照明を行うライト、すなわち作業灯を備えたものが特許文献２に開示されている。この特許文献２に開示された従来技術は、キャノピーの天井面にライトブラケットを介して作業灯を取り付けた構成となっている。なお、作業灯の両側部のうちの外側部は開放空間に露出した状態となっている。
【先行技術文献】
【特許文献】
【０００４】
【特許文献１】特開２０００−２７３９０９号公報
【特許文献２】特開２００６−３２２３１５号公報
【発明の概要】
【発明が解決しようとする課題】
【０００５】
建設機械において、キャノピー等の運転席を保護する保護体の吊り上げ動作と、作業装置方向に対する照明の確保とを実現させようとする場合、保護体の天井部に特許文献１に示される吊り具と、特許文献２に示される作業灯とを組み合わせて設けることが考えられる。しかし、これらの特許文献１，２に示される従来技術を単に組み合わせただけでは、特許文献２に示される作業灯の外側部は開放空間に露出した状態となることから、旋回等に際して作業灯が周囲の障害物などに接触し、破損する懸念がある。このような懸念を除くためには、作業灯の外側部を保護する部材を設けることが必要になる。すなわち、特許文献１，２に示される従来技術を併せ考慮したものでは、作業灯の破損を防止する保護部材が必要になり、このために当該建設機械の製作費が高くなる虞がある。
【０００６】
本発明は、上述した従来技術における実状からなされたもので、その目的は、運転席を保護する保護体を吊り上げる際に活用される吊り具と、作業装置方向に対する照明を行う作業灯とを備えることを考慮した場合に、作業灯の外側部の保護を少ない部材数で実現させることができる建設機械を提供することにある。
【課題を解決するための手段】
【０００７】
この目的を達成するために、本発明に係る建設機械は、旋回体と、この旋回体に取り付けられる作業装置と、上記旋回体上に設けた運転席と、この運転席を囲むように設けられ、上記運転席に座ったオペレータを保護する保護体と、この保護体の上部に設けられ、上記保護体の吊り上げに際して活用される吊り具と、上記保護体に設けられ、上記作業装置方向に対する照明を行う少なくとも１つの作業灯とを備えた建設機械において、上記作業灯を、上記吊り具の両側方のうちの内側の近傍に配置するとともに、上記作業灯を保持し、上記吊り具に固定されるブラケットを備えたことを特徴としている。
【０００８】
このように構成した本発明は、吊り具を介して運転席を保護する保護体を吊り上げることができ、また、作業灯によって旋回体に取り付けられた作業装置方向を照らすことができる。また、吊り具に固定されるブラケットを介して、作業灯を吊り具の内側の近傍に配置したことから、吊り具を作業灯の外側部の保護部材として活用することができる。これにより、作業灯の外側部の保護を少ない部材数で実現させることができる。
【０００９】
また、本発明は、上記発明において、当該建設機械がミニショベルから成り、上記保護体が、立設部、及びこの立設部に湾曲部を介して連設される水平部を有する支柱を含むキャノピーから成り、上記支柱の湾曲部に上記吊り具を設けたことを特徴としている。
【００１０】
このように構成した本発明は、キャノピーの支柱の立設部と水平部を連設させる湾曲部は、キャノピーの天井部付近に位置することから、この天井部付近の湾曲部に設けた吊り具によってキャノピーの安定した吊り上げ動作を実現させることができるとともに、天井部付近の湾曲部に設けた作業灯によって作業装置方向を確実に照らすことができる。
【００１１】
また、本発明は、上記発明において、上記吊り具の前後方向の中心線よりも前側位置に上記作業灯を配置し、上記吊り具の上記中心線位置、または上記中心線位置よりも後側位置に、上記キャノピーの吊り上げに際して活用されるワイヤが挿通する吊り穴を設けたことを特徴としている。
【００１２】
このように構成した本発明は、キャノピーの吊り上げに際して、吊り具の吊り穴に挿入させたワイヤと作業灯との干渉を防ぐことができる。これにより、キャノピーの安定した吊り上げ動作を実現させることができる。
【００１３】
また、本発明は、上記発明において、上記キャノピーは、上記運転席を囲むように左右方向に並設された第１支柱と第２支柱とを有し、上記第１支柱の立設部と水平部を連設させる湾曲部に第１吊り具を設け、上記第２支柱の立設部と水平部を連設させる湾曲部に第２吊り具を設け、上記第１吊り具の内側に第１ブラケットを介して第１作業灯を配置し、上記第２吊り具の内側に第２ブラケットを介して第２作業灯を配置したことを特徴としている。
【００１４】
このように構成した本発明は、第１吊り具及び第２吊り具を介してのキャノピーの安定した吊り上げ動作と、第１作業灯及び第２作業灯を介しての作業装置方向に対する良好な照明の確保とを実現させることができるとともに、第１吊り具によって第１作業灯の外側部の保護を、また、第２吊り具によって第２作業灯の外側部の保護を、それぞれ実現させることができる。
【００１５】
また、本発明は、上記発明において、上記第１吊り具及び上記第２吊り具のそれぞれは、前部端縁が凸状の湾曲形状に形成され、後部端縁が上記第１支柱及び上記第２支柱のうちの対応する支柱の上記湾曲部の形状に応じた凹状の湾曲形状に形成され、上部端縁が水平方向に沿う直線形状に形成され、全体が平坦状の板部材から成り、上記第１ブラケット及び第２ブラケットのそれぞれは、上記第１吊り具及び上記第２吊り具のうちの対応する吊り具に固定される鉛直部と、上記第１作業灯及び上記第２作業灯のうちの対応する作業灯を保持する水平部とを含むＬ字形状部材から成ることを特徴としている。
【００１６】
このように構成した本発明は、第１ブラケット及び第２ブラケットそれぞれの対応するブラケットが固定される第１吊り具及び第２吊り具のそれぞれが、キャノピーの第１支柱及び第２支柱の湾曲部に応じた形状に形成してあるので、これらの第１吊り具及び第２吊り具のそれぞれを、キャノピーの対応する第１支柱及び第２支柱のそれぞれに安定して取り付けることができる。これにより、第１ブラケット及び第２ブラケットを介して、第１作業灯及び第２作業灯の信頼性の高い取付構造を実現させることができる。また、第１吊り具及び第２吊り具のそれぞれを、平坦状の板部材によって形成し、第１ブラケット及び第２ブラケットのそれぞれを、Ｌ字形状部材によって形成してあることから、第１作業灯及び第２作業灯の取付構造を簡単な構成とすることができる。さらに、第１ブラケット及び第２ブラケットのそれぞれをＬ字形状部材によって形成してあることから、例えば第１ブラケットの向きを変えて第２吊り具に取り付けることにより、この第１ブラケットで第２作業灯を保持させることができ、また、第２ブラケットの向きを変えて第１吊り具に取り付けることにより、この第２ブラケットで第１作業灯を保持させることができる。すなわち、第１作業灯及び第２作業灯の設置に際して、第１ブラケット及び第２ブラケットのいずれかを選定する注意を払う必要なく、これらの第１作業灯及び第２作業灯を設置することができる。
【発明の効果】
【００１７】
本発明に係る建設機械は、作業装置方向に対する照明を行う作業灯を、運転席に座ったオペレータを保護する保護体の吊り上げに際して活用される吊り具の両側方のうちの内側の近傍に配置するとともに、作業灯を保持し、吊り具に固定されるブラケットを備えたことから、運転席を保護する保護体を吊り上げる際に活用される吊り具と、作業装置方向に対する照明を行う作業灯とを備えることを考慮した場合に、吊り具を作業灯の外側部の保護部材として活用でき、作業灯の外側部の保護を少ない部材数で実現させることができる。これにより、保護体を吊り上げる吊り具と、作業装置方向に対する照明を行う作業灯とを備える場合に懸念される当該建設機械の製作費の高騰化を抑えることができる。
【図面の簡単な説明】
【００１８】
【図１】本発明に係る建設機械の一実施形態を構成するミニショベルを示す側面図である。
【図２】本実施形態に備えられるキャノピーを示す側面図である。
【図３】本実施形態に備えられるキャノピーを前面側から見た斜視図である。
【図４】本実施形態に備えられるキャノピーを上側から見た斜視図である。
【図５】本実施形態に備えられる作業灯取付構造を示す斜視図である。
【図６】本実施形態に備えられる作業灯取付構造を構成する吊り具及び作業灯を示す図で、（ａ）図は正面図、（ｂ）図は側面図、（ｃ）図は平面図である。
【図７】本実施形態に備えられるキャノピーを保守点検作業に際して吊り上げた状態を示す側面図である。
【発明を実施するための形態】
【００１９】
以下、本発明に係る建設機械の実施の形態を図に基づいて説明する。
【００２０】
図１は本発明に係る建設機械の一実施形態を構成するミニショベルを示す側面図である。
【００２１】
本実施形態に係るミニショベルは、走行体１と、この走行体１上に配置される旋回体２と、この旋回体２に上下方向の回動可能に設けられ、ブーム３ａ、アーム３ｂ、バケット３ｃを含む作業装置３とを備えている。走行体１の前側位置にはブレード４を備えている。また、旋回体２上に運転席５を配置してあり、この運転席５を囲むように運転席５に座ったオペレータを保護する保護体、すなわちキャノピー６を備えている。
【００２２】
図２，３，４は、本実施形態に係るミニショベルに備えられるキャノピーを示す図で、図２は側面図、図３は前面側から見た斜視図、図４は上側から見た斜視図である。
【００２３】
図２に示すように、本実施形態に備えられるキャノピー６は、上述した運転席５が載置される床７に固定してある。この床７上には、側壁８が固定されている。
【００２４】
また、キャノピー６は、立設部、及びこの立設部に湾曲部を介して連設される水平部を有する支柱を含んでいる。すなわち、図３，４に示すように、上述した運転席５を囲むように左右方向に並設されたそれぞれ丸パイプより成る第１支柱６ａと第２支柱６ｂとを含んでいる。第１支柱６ａは、前側に配置される立設部６ａ１と、この立設部６ａ１に湾曲部６ａ３を介して連設される水平部６ａ２とを有している。第２支柱６ｂは第１支柱６ａと同等の形状寸法に設定されている。すなわち、この第２支柱６ｂも、第１支柱６ａと同様の立設部６ｂ１、水平部６ｂ２、及びこれらの立設部６ｂ２と水平部６ｂ２を連設させる湾曲部６ｂ３を備えている。また、第１支柱６ａの水平部６ａ２と、第２支柱６ｂの水平部６ｂ２とに両端部のそれぞれが保持され、天井部を構成する天板６ｃを備えている。なお、第１支柱６ａの立設部６ａ１には、オペレータの床７への乗り込み動作を容易にさせる把手９を設けてある。
【００２５】
同図３，４に示すように、第１支柱６ａの湾曲部６ａ３に第１作業灯取付構造１０を設け、第２支柱６ｂの湾曲部６ｂ３に第２作業灯取付構造１１を設けてある。これらの第１作業灯取付構造１０及び第２作業灯取付構造１１が、本実施形態に係るミニショベルの特徴とするものである。
【００２６】
本実施形態に係るミニショベルは、図５に示すように、第１作業灯１０ｃ及び第２作業灯１１ｃのそれぞれを、キャノピー６の吊り上げに際して活用される対応する第１吊り具１０ａ及び第２吊り具１１ａのそれぞれの両側部のうちの内側の近傍に配置するとともに、第１作業灯１０ｃを保持する第１ブラケット１０ｂ、及び第２作業灯１１ｃを保持する第２ブラケット１１ｂを備えている。
【００２７】
第１作業灯取付構造１０に含まれる第１吊り具１０ａは、キャノピー６の第１支柱６ａの湾曲部６ａ３に例えば溶接により固定してあり、第２作業灯取付構造１１に含まれる第２吊り具１１ａは、キャノピー６の第２支柱６ｂの湾曲部６ｂ３に例えば溶接により固定してある。なお図４に示すように、第１支柱６ａの水平部６ａ２の後部位置には別の吊り具１５を、また、第２支柱６ｂの水平部６ｂ２の後部位置には別の吊り具１６を、それぞれ溶接により固定してある。
【００２８】
図６の（ｂ）図に示すように、第１吊り具１０ａは、キャノピー６の吊り上げに際して活用されるワイヤが挿通する吊り穴１０ａ１を有し、前部端縁１０ａ２が凸状の湾曲形状に形成され、後部端縁１０ａ３が第１支柱６ａの湾曲部６ａ３の形状に応じた凹状の湾曲形状に形成され、上部端縁１０ａ４が水平方向に沿う直線形状に形成され、全体が平坦状の板部材から成っている。上述した第１吊り具１０ａの上部端縁１０ａ４は、上述した図２等に示すように、例えば天板６ｃの高さ位置の近傍であって、天板６ｃよりもわずかに低い高さ位置となるように設定してある。
【００２９】
第１作業灯１０ｃを保持する第１ブラケット１０ｂは、図６の（ａ）（ｃ）図に示すように、ボルト１３によって第１吊り具１０ａに固定される鉛直部１０ｂ１と、この鉛直部１０ｂ１に連設され、第１作業灯１０ｃを保持する水平部１０ｂ２を含むＬ字形状部材から成っている。図６の（ａ）図に示すように、第１作業灯１０ｃの下部に設けたねじ部１０ｃ１が第１ブラケット１０ｂに形成した穴に挿入された状態で、ねじ部１０ｂ１に螺合するナット１４を締め付けることによって、第１作業灯１０ｃが第１ブラケット１０ｂの水平部１０ｂ２に固定されている。第２作業灯１１を保持する第２ブラケット１１ｂは、例えば第１ブラケット１０ｂと同等の形状寸法に設定されている。すなわち、第２ブラケット１１ｂも、第１ブラケット１０ｂにおけるのと同等の鉛直部及び水平部を有するＬ字形状部材から成っている。
【００３０】
図６の（ｂ）（ｃ）図に示すように、第１作業灯１０ｃは、第１吊り具１０ａの前後方向の中心線１２よりも前側位置に配置してあり、第１吊り具１０ａの吊り穴１０ａ１は、図６の（ｂ）図に示すように、中心線１２の位置に設けてある。なお、この吊り穴１０ａ１は、第１吊り具１０ａの形状を大きく設定した場合などにあっては、中心線１２よりもわずかに後方位置に設けるようにしてもよい。図示しないが第２作業灯１１ｃも同様に、第２吊り具１１ａの前後方向の中心線よりも前側位置に配置してあり、第２吊り具１１ａの吊り穴１１ａ１は、例えば中心線位置に設けてある。
【００３１】
第１作業灯１０ｃ及び第２作業灯１１ｃの上面の高さ位置は、図６の（ａ）（ｂ）図に例示するように、第１吊り具１０ａ及び第２吊り具１１ａの上部端縁１０ａ４等と略同等の高さ位置に設定してある。
【００３２】
このように構成した本実施形態に係るミニショベルにあっては、夜間等の作業に際しては、第１作業灯１０ｃ及び第２作業灯１１ｃを点灯させて作業装置３方向を照らすことにより、作業装置３を駆動しての土砂の掘削作業等の所望の作業を支障なく行うことができる。
【００３３】
また、例えば本実施形態に係るミニショベルの床７の下方に配置された図示しないコントロールバルブ、あるいはコントロールバルブに接続される配管の保守点検作業等に際しては、図７に示すように、例えば整備工場等の保守点検サービス拠点において、第１作業灯取付構造１０に含まれる第１吊り具１０ａの吊り穴１０ａ１、及び第２作業灯取付構造１１に含まれる第２吊り具１１ａの吊り穴１１ａ１のそれぞれにワイヤ１７等を挿通し、図４にも示す別の吊り具１５，１６のそれぞれの吊り穴にワイヤ１８等を挿通した状態で、ワイヤ１７等及びワイヤ１８等をリング状金具１９に掛け、このリング状金具１９にクレーン装置のフック２０を係合させて、例えばキャノピー６、床７を含む構造体を吊り上げることが行われる。これにより、図示しないコントロールバルブ、及びこのコントロールバルブに接続される配管部分が露出し、所望のコントロールバルブ、あるいは配管部分の保守点検作業等を行うことができる。
【００３４】
このように構成した本実施形態に係るミニショベルによれば、上述のように、第１，第２吊り具１０ａ，１１ａ、及び別の吊り具１５，１６を介して運転席５を保護するキャノピー６を吊り上げることができ、また、第１，第２作業灯１０ｃ，１１ｃによって旋回体２に取り付けられた作業装置３方向を照らすことができる。また、第１吊り具１０ａに固定される第１ブラケット１０ｂ、及び第２吊り具１１ａに固定される第２ブラケット１１ｂを介して、第１，第２作業灯１０ｃ，１１ｃのそれぞれを、第１，第２吊り具１０ａ，１１ａの対応するものの内側の近傍に配置したことから、第１，第２吊り具１０ａ，１１ａを、対応する第１，第２作業灯１０ｃ，１１ｃの保護部材として、それぞれ活用することができる。これにより、第１，第２作業灯１０ｃ，１１ｃそれぞれの外側部の保護を、少ない部材数で実現させることができる。したがって、キャノピー６を吊り上げる第１，第２吊り具１０ａ，１１ａと、作業装置３方向に対する照明を行う第１，第２作業灯１０ｃ，１１ｃとを備える場合に懸念される当該ミニショベルの製作費の高騰化を抑えることができる。
【００３５】
また、キャノピー６の第１，第２支柱６ａ，６ｂの立設部６ａ１，６ｂ１と水平部６ａ２，６ｂ２を連設させる湾曲部６ａ３，６ｂ３は、キャノピー６の天井部すなわち天板６ｃ付近に位置することから、この天板６ｃ付近の湾曲部６ａ３，６ｂ３に設けた第１，第２吊り具１０ａ，１１ａによってキャノピー６の安定した吊り上げ動作を実現させることができるとともに、天板６ｃ付近の湾曲部６ａ３，６ｂ３に設けた第１，第２作業灯１０ｃ，１１ｃによって作業装置３方向を確実に照らすことができ、作業装置３の駆動による作業を能率良く行うことができる。
【００３６】
また、第１，第２吊り具１０ａ，１１ａの前後方向の中心線１２等よりも前側位置に第１，第２作業灯１０ｃ，１１ｃを配置し、上述の中心線１２位置、または中心線１２位置よりも後側位置に、キャノピー６の吊り上げに際して活用されるワイヤ１７等が挿通する吊り穴１０ａ１，１１ａ１を設けたことから、第１，第２吊り具１０ａ，１１ａの吊り穴１０ａ１，１１ａ１に挿入させたワイヤ１７等と第１，第２作業灯１０ｃ，１１ｃとの干渉を防ぐことができる。これにより、キャノピー６の安定した吊り上げ動作を実現させることができる。
【００３７】
また、第１，第２ブラケット１０ｂ，１１ｂが固定される第１，第２吊り具１０ａ，１１ａのそれぞれが、キャノピー６の第１，第２支柱６ａ，６ｂの湾曲部６ａ３，６ｂ３に応じた形状に形成してあるので、これらの第１，第２吊り具１０ａ，１１ａのそれぞれを、キャノピー６の対応する第１，第２支柱６ａ，６ｂのそれぞれに安定して取り付けることができる。これにより、第１，第２ブラケット１０ｂ，１１ｂを介して、第１，第２作業灯１０ｃ，１１ｃの信頼性の高い取付構造を実現させることができる。また、第１，第２吊り具１０ａ，１１ａのそれぞれを、平坦状の板部材によって形成し、第１，第２ブラケット１０ｂ，１１ｂのそれぞれを、Ｌ字形状部材によって形成してあることから、第１，第２作業灯１０ｃ，１１ｃの第１，第２取付構造１０，１１を簡単な構成とすることができ、実用性に富む。
【００３８】
さらに、第１，第２ブラケット１０ｂ，１１ｂのそれぞれを、形状寸法の等しいＬ字形状部によって形成してあることから、例えば第１ブラケット１０ｂの向きを変えて第２吊り具１１ａに取り付けることにより、この第１ブラケット１０ｂで第２作業灯１１ｃを保持させることができ、また逆に、第２ブラケット１１ｂの向きを変えて第１吊り具１０ａに取り付けることにより、この第２ブラケット１１ｂで第１作業灯１０ｃを保持させることができる。すなわち、第１，第２作業灯１０ｃ，１１ｃの設置に際して、第１，第２ブラケット１０ｂ，１１ｂのいずれかを選定する注意を払うことなく、これらの第１，第２作業灯１０ｃ，１１ｃを保持させることができ、第１，第２作業灯１０ｃ，１１ｃを取り付ける作業を簡単に行うことができる。
【００３９】
なお、上記実施形態は、２つの作業灯、すなわち第１，第２作業灯１０ｃ，１１ｃを設けた構成にしてあるが、１つの作業灯のみによって作業装置３方向を照らすことによって該当する作業を支障なく実施できる場合などにあっては、第１作業灯１０ｃと第２作業灯１１ｃのうちのいずれか１つのみを設ける構成にしてもよい。
【００４０】
また、上記では、第１，第２吊り具１０ａ，１１ａを平坦状の板部材によって形成し、第１，第２ブラケット１０ｂ，１１ｂをＬ字形状部材によって形成したが、本発明は、第１，第２吊り具１０ａ，１１ａ、及び第１，第２ブラケット１０ｂ，１１ｂをこのような形状に形成することには限定されない。建設機械の機種に応じて各種の形状に設定することができる。
【００４１】
また、上記では、第１，第２吊り具１０ａ，１１ａの他に、キャノピー６の第１，第２支柱６ａ，６ｂの水平部６ａ２，６ｂ２の後部位置にも別の吊り具１５，１６を設け、ワイヤ１７等及びワイヤ１８等を介して四点吊りでキャノピー６を吊り上げる構成にしてあるが、重量バランスを確保し得る場合には、別の吊り具１５，１６を設けることなく、第１，第２吊り具１０ａ，１１ａを介しての二点吊りでキャノピー６を吊り上げる構成にしてもよい。
【００４２】
また、上記では建設機械をキャノピー６を有するミニショベルによって構成してあるが、運転席５に座ったオペレータを保護する保護体が、運転室すなわちキャブより成るミニショベルによって構成してもよい。この場合には、キャブの前面側の天井部の上に、あるいは天井部付近に、上述した第１作業灯取付構造１０及び第２作業灯取付構造１１に相応した構成のものを取り付けるようにすればよい。さらに、本発明は、ミニショベルによって構成することには限られず、旋回体上に運転席に座ったオペレータを保護する保護体を有する各種の建設機械によって構成することができる。
【符号の説明】
【００４３】
１    走行体
２    旋回体
３    作業装置
５    運転席
６    キャノピー（保護体）
６ａ  第１支柱
６ａ１  立設部
６ａ２  水平部
６ａ３  湾曲部
６ｂ  第２支柱
６ｂ１  立設部
６ｂ２  水平部
６ｂ３  湾曲部
６ｃ  天板
１０    第１作業灯取付構造
１０ａ  第１吊り具
１０ａ１  吊り穴
１０ａ２  前部端縁
１０ａ３  後部端縁
１０ａ４  上部端縁
１０ｂ  第１ブラケット
１０ｂ１  鉛直部
１０ｂ２  水平部
１０ｃ  第１作業灯
１１    第２作業灯取付構造
１１ａ  第２吊り具
１１ａ１  吊り穴
１１ｂ  第２ブラケット
１１ｃ  第２作業灯
１２    中心線
１７    ワイヤ
【図１】
2011247058.tif 000003
【図２】
2011247058.tif 000004
【図３】
2011247058.tif 000005
【図４】
2011247058.tif 000006
【図５】
2011247058.tif 000007
【図６】
2011247058.tif 000008
【図７】
2011247058.tif 000009